【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
水平方向に延びる軸線回りに回転するロータを、前記軸線を中心とする径方向の外側から覆い、前記ロータの外周面との間に蒸気が流通する第一主流路を形成している内側ケーシング本体と、前記第一主流路に前記蒸気を供給する内側導入口と、を有する内側ケーシングと、
前記内側ケーシングを前記径方向の外側から覆い、前記内側ケーシング本体の外周面との間に前記第一主流路と連通して排気蒸気が流通する第二主流路を形成している外側ケーシング本体と、前記内側導入口に前記蒸気を導入する外側導入口と、前記外側ケーシング本体の上部に設けられて前記第二主流路から前記排気蒸気を排出する上側排出口と、前記外側ケーシング本体の下部に設けられて前記第二主流路から前記排気蒸気を排出する下側排出口と、を有する外側ケーシングと、
前記上側排出口から排出される前記排気蒸気の流量を調整する上側弁と、
前記下側排出口から排出される前記排気蒸気の流量を調整する下側弁と、
前記外側ケーシングは、前記外側ケーシング本体から水平方向の一方側及び水平方向の他方側に張り出し、架台により下方から支持されているフランジ部と、
前記外側ケーシング本体の温度及び前記フランジ部の温度を参照し、前記上側弁と前記下側弁の制御を行う制御部と、を有する蒸気タービン。
【請求項２】
前記外側ケーシング本体の温度を計測するケーシング温度センサと、
前記フランジ部の温度を計測するフランジ部温度センサと、を有し、
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、上側に配置され前記第一開口部から水平方向に張り出して前記架台により下方から支持されている上半フランジと、下側に配置され前記第二開口部から水平方向に張り出して前記上半フランジに締結されている下半フランジとを有し、
前記制御部は、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２とすると、
Ｔｃ−Ｔｆ＜Ｔｓｈ１の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆの場合に、前記上側ケーシング本体と前記下側ケーシング本体とのうち前記下側ケーシング本体の側により多くの前記排気蒸気が流れるように前記上側弁及び前記下側弁を制御する請求項１に記載の蒸気タービン。
【請求項３】
前記外側ケーシング本体の温度を計測するケーシング温度センサと、
前記フランジ部の温度を計測するフランジ部温度センサと、
前記排気蒸気の温度を計測する排気温度センサと、を有し、
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、上側に配置され前記第一開口部から水平方向に張り出して前記架台により下方から支持されている上半フランジと、下側に配置され前記第二開口部から水平方向に張り出して前記上半フランジに締結されている下半フランジとを有し、
前記制御部は、前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２、前記排気蒸気の温度をＴｓｅ、温度の第三の閾値をＴｓｈ３とすると、
Ｔｃ−Ｔｆ＜Ｔｓｈ１、かつ、Ｔｃ−Ｔｓｅ＜Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｃ−Ｔｆ＜Ｔｓｈ１、かつ、Ｔｃ−Ｔｓｅ≧Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆ、かつ、Ｔｃ−Ｔｓｅ＜Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ２＜Ｔｃ−Ｔｆ、かつ、Ｔｃ−Ｔｓｅ≧Ｔｓｈ３の場合に、前記上側ケーシング本体と前記下側ケーシング本体とのうち前記上側ケーシング本体の側により多くの前記排気蒸気が流れるように前記上側弁及び前記下側弁を制御する請求項１に記載の蒸気タービン。
【請求項４】
前記外側ケーシング本体の温度を計測するケーシング温度センサと、
前記フランジ部の温度を計測するフランジ部温度センサと、を有し、
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、下側に配置され前記第二開口部から水平方向に張り出して前記架台により下方から支持されている下半フランジと、上側に配置され前記第一開口部から水平方向に張り出して前記下半フランジに締結されている上半フランジとを有し、
前記制御部は、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２とすると、
Ｔｃ−Ｔｆ＜Ｔｓｈ１の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆの場合に、前記上側ケーシング本体と前記下側ケーシング本体とのうち前記上側ケーシング本体の側により多くの前記排気蒸気が流れるように前記上側弁及び前記下側弁を制御する請求項１に記載の蒸気タービン。
【請求項５】
前記外側ケーシング本体の温度を計測するケーシング温度センサと、
前記フランジ部の温度を計測するフランジ部温度センサと、
前記排気蒸気の温度を計測する排気温度センサと、を有し、
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、下側に配置され前記第二開口部から水平方向に張り出して前記架台により下方から支持されている下半フランジと、上側に配置され前記第一開口部から水平方向に張り出して前記下半フランジに締結されている上半フランジとを有し、
前記制御部は、前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２、前記排気蒸気の温度をＴｓｅ、温度の第三の閾値をＴｓｈ３とすると、
Ｔｃ−Ｔｆ＜Ｔｓｈ１、かつ、Ｔｃ−Ｔｓｅ＜Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｃ−Ｔｆ＜Ｔｓｈ１、かつ、Ｔｃ−Ｔｓｅ≧Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆ、かつ、Ｔｃ−Ｔｓｅ＜Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ２＜Ｔｃ−Ｔｆ、かつ、Ｔｃ−Ｔｓｅ≧Ｔｓｈ３の場合に、前記上側ケーシング本体と前記下側ケーシング本体とのうち前記下側ケーシング本体の側により多くの前記排気蒸気が流れるように前記上側弁及び前記下側弁を制御する請求項１に記載の蒸気タービン。
【請求項６】
前記内側ケーシング本体の外周面と前記外側ケーシング本体とにわたって形成された平板状の部材であって、前記第二主流路を上下に分割する閉止板を有する請求項１から請求項５のいずれか一項に記載の蒸気タービン。
【請求項７】
前記第一主流路から前記第二主流路との間の前記排気蒸気の流路面積を周方向に均一に制限し、前記軸線と直交する主面を有する板状をなす邪魔板を有する請求項１から請求項６のいずれか一項に記載の蒸気タービン。
【請求項８】
水平方向に延びる軸線回りに回転するロータを、前記軸線を中心とする径方向の外側から覆い、前記ロータの外周面との間に蒸気が流通する第一主流路を形成している内側ケーシング本体と、前記第一主流路に前記蒸気を供給する内側導入口と、を有する内側ケーシングと、
前記内側ケーシングを前記径方向の外側から覆い、前記内側ケーシング本体の外周面との間に前記第一主流路と連通して排気蒸気が流通する第二主流路を形成している外側ケーシング本体と、前記内側導入口に前記蒸気を導入する外側導入口と、前記外側ケーシング本体の上部に設けられて前記第二主流路から前記排気蒸気を排出する上側排出口と、前記外側ケーシング本体の下部に設けられて前記第二主流路から前記排気蒸気を排出する下側排出口と、前記外側ケーシング本体から水平方向の一方側及び水平方向の他方側に張り出し、架台により下方から支持されているフランジ部と、を有する外側ケーシングと、
前記上側排出口から排出される前記排気蒸気の流量を調整する上側弁と、
前記下側排出口から排出される前記排気蒸気の流量を調整する下側弁と、を有する蒸気タービンの制御方法であって、
前記外側ケーシング本体の温度及び前記フランジ部の温度を参照し、前記上側弁及び前記下側弁を制御する蒸気タービンの制御方法。
【請求項９】
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、上側に配置され前記第一開口部から水平方向に張り出して前記架台により下方から支持されている上半フランジと、下側に配置され前記第二開口部から水平方向に張り出して前記上半フランジに締結されている下半フランジとを有し、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２とすると、
Ｔｃ−Ｔｆ＜Ｔｓｈ１の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆの場合に、前記上側ケーシング本体と前記下側ケーシング本体とのうち前記下側ケーシング本体の側により多くの前記排気蒸気が流れるように前記上側弁及び前記下側弁を制御する請求項８に記載の蒸気タービンの制御方法。
【請求項１０】
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、上側に配置され前記第一開口部から水平方向に張り出して前記架台により下方から支持されている上半フランジと、下側に配置され前記第二開口部から水平方向に張り出して前記上半フランジに締結されている下半フランジとを有し、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２、前記排気蒸気の温度をＴｓｅ、温度の第三の閾値をＴｓｈ３とすると、
Ｔｃ−Ｔｆ＜Ｔｓｈ１、かつ、Ｔｃ−Ｔｓｅ＜Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｃ−Ｔｆ＜Ｔｓｈ１、かつ、Ｔｃ−Ｔｓｅ≧Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆ、かつ、Ｔｃ−Ｔｓｅ＜Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｓｈ２＜Ｔｃ−Ｔｆ、かつ、Ｔｃ−Ｔｓｅ≧Ｔｓｈ３の場合に、前記上側ケーシング本体と前記下側ケーシング本体とのうち前記上側ケーシング本体の側により多くの前記排気蒸気が流れるように前記上側弁及び前記下側弁を制御する請求項８に記載の蒸気タービンの制御方法。
【請求項１１】
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、下側に配置され前記第二開口部から水平方向に張り出して前記架台により下方から支持されている下半フランジと、上側に配置され前記第一開口部から水平方向に張り出して前記下半フランジに締結されている上半フランジとを有し、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２とすると、
Ｔｃ−Ｔｆ＜Ｔｓｈ１の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆの場合に、前記上側ケーシング本体と前記下側ケーシング本体とのうち前記上側ケーシング本体の側により多くの前記排気蒸気が流れるように前記上側弁及び前記下側弁を制御する請求項８に記載の蒸気タービンの制御方法。
【請求項１２】
前記外側ケーシング本体は、上側に配置され下方に向かって開口する第一開口部を有する上側ケーシング本体と、下側に配置され上方に向かって開口する第二開口部を有する下側ケーシング本体とを有し、
前記フランジ部は、下側に配置され前記第二開口部から水平方向に張り出して前記架台により下方から支持されている下半フランジと、上側に配置され前記第一開口部から水平方向に張り出して前記下半フランジに締結されている上半フランジとを有し、
前記外側ケーシング本体の温度をＴｃ、前記フランジ部の温度をＴｆ、温度の第一閾値をＴｓｈ１、前記第一閾値Ｔｓｈ１より高い温度の第二閾値をＴｓｈ２、前記排気蒸気の温度をＴｓｅ、温度の第三の閾値をＴｓｈ３とすると、
Ｔｃ−Ｔｆ＜Ｔｓｈ１、かつ、Ｔｃ−Ｔｓｅ＜Ｔｓｈ３の場合に、前記上側ケーシング本体と前記下側ケーシング本体とのうち前記下側ケーシング本体の側により多くの前記排気蒸気が流れるように前記上側弁及び前記下側弁を制御し、
Ｔｃ−Ｔｆ＜Ｔｓｈ１、かつ、Ｔｃ−Ｔｓｅ≧Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ１≦Ｔｃ−Ｔｆ≦Ｔｓｈ２の場合に、前記上側弁及び前記下側弁を開け、
Ｔｓｈ２＜Ｔｃ−Ｔｆ、かつ、Ｔｃ−Ｔｓｅ＜Ｔｓｈ３の場合に、前記上側ケーシング本体と前記下側ケーシング本体とのうち前記上側ケーシング本体の側により多くの前記排気蒸気が流れるように前記上側弁及び前記下側弁を制御し、
Ｔｓｈ２＜Ｔｃ−Ｔｆ、かつ、Ｔｃ−Ｔｓｅ≧Ｔｓｈ３の場合に、前記上側ケーシング本体と前記下側ケーシング本体とのうち前記下側ケーシング本体の側により多くの前記排気蒸気が流れるように前記上側弁及び前記下側弁を制御する請求項８に記載の蒸気タービンの制御方法。